(57)【要約】【課題】医用画像診断装置において、操作者が各サーバの立ち上げ状態を視認できること。【解決手段】本実施形態に係る医用画像診断装置は、操作者から医用画像診断装置に係る電源投入に関する指示を受け付ける受付部と、前記医用画像診断装置に係る処理を実行する複数のサーバと、前記指示に基づいて、前記複数のサーバを並行して立ち上げるよう制御する制御部と、前記複数のサーバから前記複数のサーバの立ち上げに関する情報を取得する取得部と、前記立ち上げに関する情報を表示部に表示させる表示制御部と、を有する。【選択図】  図１
2018157887.tif 000002
【特許請求の範囲】
【請求項１】
操作者から医用画像診断装置に係る電源投入に関する指示を受け付ける受付部と、
前記医用画像診断装置に係る処理を実行する複数のサーバと、
前記指示に基づいて、前記複数のサーバを並行して立ち上げるよう制御する制御部と、
前記複数のサーバから前記複数のサーバの立ち上げに関する情報を取得する取得部と、
前記立ち上げに関する情報を表示部に表示させる表示制御部と、
を有する医用画像診断装置。
【請求項２】
前記立ち上げに関する情報は、各サーバの立ち上げ完了までに要する残り時間に関する情報である、
請求項１に記載の医用画像診断装置。
【請求項３】
前記立ち上げに関する情報は、各サーバの立ち上げ時間全体に占める完了状況に関する情報である、
請求項１に記載の医用画像診断装置。
【請求項４】
前記複数のサーバは、前記医用画像診断装置に係る処理のうち、スキャンに関連する処理を実行する第１のサーバを含む、
請求項１乃至３のうちいずれか一項に記載の医用画像診断装置。
【請求項５】
前記複数のサーバは、前記医用画像診断装置に係る処理のうち、医用画像の生成に係る処理を実行する第２のサーバを含む、
請求項４に記載の医用画像診断装置。
【請求項６】
前記受付部は、操作者から前記スキャンの開始に関する指示を受け付け、
前記第１のサーバは、前記受付部が前記スキャンの開始に関する指示を受け付けると前記スキャンを実行する、
請求項５に記載の医用画像診断装置。
【請求項７】
前記受付部は、前記第１のサーバの立ち上げの完了後、かつ、前記第２のサーバの立ち上げ中に、前記スキャンの開始に関する指示を受け付け、
前記第１のサーバは、前記受付部が前記スキャンの開始に関する指示を受け付けると、前記第２のサーバの立ち上げ中であっても前記スキャンを実行する、
請求項６に記載の医用画像診断装置。
【請求項８】
前記第１のサーバは、前記スキャンとしてのＣＴ（Computed Tomography）スキャンに関する撮像条件を設定するサーバと、前記撮像条件に基づいて前記ＣＴスキャンを制御するサーバとを含み、
前記第２のサーバは、前記ＣＴスキャンによって収集されたデータに基づいてＣＴ画像を再構成するサーバを含む、
請求項５乃至７のうちいずれか一項に記載の医用画像診断装置。
【請求項９】
操作者から医用画像診断装置に係る電源投入に関する指示を受け付ける受付部と、
前記医用画像診断装置に係る処理を実行する複数のサーバと、
前記指示に基づいて、前記複数のサーバを並行して立ち上げるよう制御する制御部と、
前記複数のサーバから前記複数のサーバの立ち上げに関する情報を取得する取得部と、
前記立ち上げに関する情報を表示部に表示させる表示制御部と、
を有する医用画像診断装置用コンソール装置。
【発明の詳細な説明】
【技術分野】
【０００１】
本発明の実施形態は、医用画像診断装置及び医用画像診断装置用コンソール装置に関する。
【背景技術】
【０００２】
一般に、Ｘ線ＣＴ（Computed Tomography）装置等の医用画像診断装置は、スキャン時及び再構成時において必要な複数のサーバ（計算機）を搭載する。複数のサーバとしては、例えば、操作用サーバ、スキャン用サーバ、及び再構成サーバ等が挙げられる。医用画像診断装置の電源投入後、複数のサーバはそれぞれ、機能に問題が無いか自己診断テストを行いながら立ち上げ（起動）を実行する。そのため、サーバ毎に立ち上げに要する時間が異なるので、ほぼ同時に立ち上げが開始されると、立ち上げが完了する時点が異なる。
【０００３】
また、医用画像診断装置は、複数のサーバの全ての立ち上げが完了した時点でスキャンが実行可能な状態となる。このため、スキャンに関連する処理を実行するサーバである操作用サーバ及びスキャン用サーバの立ち上げが完了してスキャンが可能な状態となった場合でも、再構成用サーバの立ち上げが完了するまではスキャンの待機状態となる。
【先行技術文献】
【特許文献】
【０００４】
【特許文献１】特開平６−１５４２０４号公報
【発明の概要】
【発明が解決しようとする課題】
【０００５】
本発明が解決しようとする課題は、操作者が各サーバの立ち上げ状態を視認できる医用画像診断装置及び医用画像診断装置用コンソール装置を提供することである。
【課題を解決するための手段】
【０００６】
本実施形態の医用画像診断装置は、操作者から医用画像診断装置に係る電源投入に関する指示を受け付ける受付部と、前記医用画像診断装置に係る処理を実行する複数のサーバと、前記指示に基づいて、前記複数のサーバを並行して立ち上げるよう制御する制御部と、前記複数のサーバから前記複数のサーバの立ち上げに関する情報を取得する取得部と、前記立ち上げに関する情報を表示部に表示させる表示制御部と、を有する。
【図面の簡単な説明】
【０００７】
【図１】本実施形態に係るＸ線ＣＴ装置の構成例を示す概略図。
【図２】本実施形態に係るＸ線ＣＴ装置の機能例を示すブロック図。
【図３】本実施形態に係るＸ線ＣＴ装置の動作例をフローチャートとして示す図。
【図４】（Ａ）は、本実施形態に係るＸ線ＣＴ装置において、第１の時相における複数のサーバの立ち上げ情報のディスプレイへの表示例を示す図、（Ｂ）は、第２の時相における複数のサーバの立ち上げ情報のディスプレイへの表示例を示す図、（Ｃ）は、スキャンの開始を指示する際のディスプレイへの表示例を示す図。
【図５】（Ａ）は、本実施形態に係るＸ線ＣＴ装置において、第１の時相における複数のサーバの立ち上げ情報のディスプレイへの表示例を示す図、（Ｂ）は、第２の時相における複数のサーバの立ち上げ情報のディスプレイへの表示例を示す図、（Ｃ）は、スキャンの開始を指示する際のディスプレイへの表示例を示す図。
【図６】（Ａ）は、本実施形態に係るＸ線ＣＴ装置において、第１の時相における複数のサーバの立ち上げ情報のディスプレイへの表示例を示す図、（Ｂ）は、第２の時相における複数のサーバの立ち上げ情報のディスプレイへの表示例を示す図、（Ｃ）は、スキャンの開始を指示する際のディスプレイへの表示例を示す図。
【発明を実施するための形態】
【０００８】
本実施形態に係る医用画像診断装置及び医用画像診断装置用コンソール装置について、添付図面を参照して説明する。
【０００９】
本実施形態に係る医用画像診断装置は、医用画像を生成可能な装置である。例えば、医用画像診断装置は、Ｘ線ＣＴ装置、ＭＲＩ（Magnetic Resonance Imaging）装置、及び超音波診断装置等である。以下、医用画像診断装置がＸ線ＣＴ装置である場合について説明する。
【００１０】
なお、Ｘ線ＣＴ装置によるデータ収集方式には、Ｘ線管とＸ線検出器とが１体として被検体の周囲を回転する回転／回転（Ｒ−Ｒ：Rotate/Rotate）方式や、リング状に多数の検出素子がアレイされ、Ｘ線管のみが被検体の周囲を回転する固定／回転（Ｓ−Ｒ：Stationary/Rotate）方式等の様々な方式がある。いずれの方式でも本発明を適用可能である。以下、本実施形態に係るＸ線ＣＴ装置では、現在、主流を占めている第３世代の回転／回転方式を採用する場合を例にとって説明する。
【００１１】
図１は、本実施形態に係るＸ線ＣＴ装置の構成例を示す概略図である。図２は、本実施形態に係るＸ線ＣＴ装置１の機能例を示すブロック図である。
【００１２】
図１は、本実施形態に係るＸ線ＣＴ装置１を示す。Ｘ線ＣＴ装置１は、大きくは、架台装置１０、寝台装置３０、及びコンソール装置４０によって構成される。コンソール装置４０は、医用画像処理装置とも称される。Ｘ線ＣＴ装置１の架台装置１０及び寝台装置３０は、通常は検査室に設置され、被検体（例えば、患者）Ｐに関するＸ線の透過データを生成するように構成される。一方、コンソール装置４０は、通常は検査室に隣接する制御室に設置され、透過データを基に投影データを生成してスキャノ画像及び断層画像（再構成画像）等の画像の生成及び表示を行うように構成される。
【００１３】
Ｘ線ＣＴ装置１の架台装置１０は、Ｘ線発生装置１１、Ｘ線検出器１２、データ収集回路１３、架台１４、Ｘ線高電圧装置１５、及び架台制御装置１６を備える。
【００１４】
Ｘ線発生装置１１は、例えば、Ｘ線高電圧装置１５から高電圧の供給を受けて、陰極（フィラメントと呼ぶ場合もある）から陽極（ターゲット）に向けて熱電子を照射するＸ線管（真空管）から構成される。Ｘ線発生装置１１から照射されるＸ線によって、ファンビームＸ線やコーンビームＸ線が形成される。また、Ｘ線発生装置１１は、Ｘ線発生部の一例である。
【００１５】
Ｘ線検出器１２は、例えば、Ｘ線管の焦点を中心として１つの円弧に沿ってチャネル方向に複数のＸ線検出素子が配列された複数のＸ線検出素子列から構成される。Ｘ線検出器１２は、チャネル方向に複数のＸ線検出素子が配列されたＸ線検出素子列がスライス方向に複数配列された構造を有する。Ｘ線検出器１２は、Ｘ線発生装置１１から照射され、患者Ｐを通過したＸ線を検出し、当該Ｘ線量に対応した電気信号をデータ収集装置１６へと出力する。
【００１６】
また、Ｘ線検出器１２は、例えば、グリッド、シンチレータアレイ、及び光センサアレイから構成される間接変換型の検出器である。シンチレータアレイは、複数のシンチレータから構成され、シンチレータは入射Ｘ線量に応じた光子量の光を出力するシンチレータ結晶にて構成される。グリッドは、シンチレータアレイのＸ線入射側の面に配置され、散乱X線を吸収する機能を有するＸ線遮蔽板で構成される。光センサアレイは、シンチレータからの光量に応じた電気信号に変換する機能を有し、例えば、光電子増倍管等の光センサから構成される。なお、Ｘ線検出器１２は、入射したＸ線を電気信号に変換する半導体素子から構成される直接変換型の検出器であっても構わない。また、Ｘ線検出器１２は、Ｘ線検出部の一例である。
【００１７】
データ収集回路１３は、ＤＡＳ（Data Acquisition System）とも呼ばれる。データ収集回路１３は、Ｘ線検出器１２の各Ｘ線検出素子から出力される電気信号に対して増幅処理を行う増幅器と、電気信号をデジタル信号に変換するＡ／Ｄ変換器とから少なくとも構成され、検出データ（生データ）を生成する。データ収集回路１４が生成した検出データは、コンソール装置４０へと転送される。また、データ収集回路１３は、データ収集部の一例である。
【００１８】
架台１４は、Ｘ線発生装置１１、Ｘ線検出器１２、及びデータ収集回路１３等を保持する。架台１４は、Ｘ線発生装置１１及びＸ線検出器１２の位置関係を維持した状態で、Ｘ線発生装置１１及びＸ線検出器１２を、回転中心を中心に回転させる。
【００１９】
Ｘ線高電圧装置１５は、変圧器（トランス）及び整流器等の電気回路から構成され、Ｘ線発生装置１１のＸ線管に印加する高電圧を発生する機能を有する高電圧発生装置と、Ｘ線管が照射するＸ線に応じた出力電圧の制御を行うＸ線制御装置とから構成される。高電圧発生装置は、変圧器方式であってもよいし、インバータ方式であっても構わない。また、Ｘ線高電圧装置１５は、Ｘ線高電圧部の一例である。
【００２０】
架台制御装置１６は、ＣＰＵ（Central Processing Unit）等によって構成される処理回路と、モータ及びアクチュエータ等の駆動機構とから構成される。架台制御装置１６は、コンソール装置４０又は架台装置１０に取り付けられた入力回路（図示省略）からの入力信号を受けて、架台１４の動作制御を行う機能を有する。例えば、架台制御装置１６は、入力信号を受けて架台１４を回転させる制御や、架台１４をチルトさせる制御や、寝台装置３０及び天板３３を動作させる制御を行う。また、架台制御装置１６は、架台制御部の一例である。
【００２１】
寝台装置３０は、スキャン対象の患者Ｐを載置及び移動させる装置であり、基台３１、寝台駆動装置３２、及び天板３３を備える。基台３１は、天板３３を鉛直方向に移動可能に支持する筐体である。寝台駆動装置３２は、患者Ｐが載置された天板３３を、天板３３の長軸方向（Ｚ軸方向）に移動するモータ又はアクチュエータである。天板３３は、患者Ｐが載置される板である。
【００２２】
コンソール装置４０は、コンピュータをベースとして構成されており、ＬＡＮ（Local Area Network）等のネットワークを介して外部装置と相互通信可能である。コンソール装置４０は、Ｘ線ＣＴ装置１に係る処理を実行する複数のサーバ、例えば、操作用サーバ４１、スキャン用サーバ４２、及び再構成用サーバ４３を備える。また、コンソール装置４０は、処理回路４４、記憶回路４５、ディスプレイ４６、及び入力回路４７等の基本的なハードウェアを備える。
【００２３】
操作用サーバ４１は、後述する処理回路４４と同等の構成の処理回路（図示省略）を備え、Ｘ線ＣＴ装置１に係る処理を実行する計算機である。操作用サーバ４１は、Ｘ線ＣＴ装置１に係る処理のうち、スキャンに関連する処理を実行するサーバの一種である。操作用サーバ４１の処理回路がプログラムを実行することにより操作機能Ｆ１として機能する。
【００２４】
操作機能Ｆ１は、操作用サーバ４１の立ち上げの完了後、入力回路４７を介して操作者から入力された指示に従ってスキャンに関する撮像条件等を設定する機能である。ここで、撮像条件とは、撮像部位、管電流［ｍＡ］、管電圧［ｋＶ］、Ｘ線強度制御条件（モジュレーション条件）、架台１５の回転速度等である。
【００２５】
スキャン用サーバ４２は、後述する処理回路４４と同等の構成の処理回路（図示省略）を備え、Ｘ線ＣＴ装置１に係る処理を実行する計算機である。スキャン用サーバ４２は、Ｘ線ＣＴ装置１に係る処理のうち、スキャンに関連する処理を実行するサーバの一種である。スキャン用サーバ４２は、スキャン用サーバ４２の処理回路がプログラムを実行することによりスキャン制御機能Ｆ２として機能する。
【００２６】
スキャン制御機能Ｆ２は、操作用サーバ４１及びスキャン用サーバ４２の立ち上げの完了後、入力回路４７を介して操作者から入力された指示に従って、操作用サーバ４１の操作機能Ｆ１によって設定された撮像条件に基づいてスキャンを制御する機能である。スキャンは、ＣＴ画像の収集に先立って行われる一定方向（ビュー）からＸ線を照射する位置決めスキャンや、ＣＴ画像を収集するために多方向からＸ線を照射する非ヘリカルスキャン及びヘリカルスキャン等を含む。
【００２７】
再構成用サーバ４３は、後述する処理回路４４と同等の構成の処理回路（図示省略）を備え、Ｘ線ＣＴ装置１に係る処理を実行する計算機である。再構成用サーバ４３は、Ｘ線ＣＴ装置１に係る処理のうち、医用画像の生成に係る処理を実行するサーバの一種である。再構成用サーバ４３は、再構成用サーバ４３の処理回路がプログラムを実行することにより前処理機能Ｆ３及び再構成機能Ｆ４として機能する。
【００２８】
前処理機能Ｆ３は、再構成用サーバ４３の立ち上げの完了後、スキャン用サーバ４２のスキャン制御機能Ｆ２により架台装置１０が生成し記憶回路４５に記憶された生データに対して対数変換処理や、感度補正等の補正処理（前処理）を行なって投影データを生成する機能である。また、前処理機能Ｆ３は、前処理された投影データに対して散乱線の除去処理を行っても良い。
【００２９】
再構成機能Ｆ４は、前処理機能Ｆ３によって生成された投影データに基づいて断層画像としてのＣＴ画像や、複数のＣＴ画像に基づくボリュームデータを再構成する機能である。断層画像を生成する画像再構成法としては、コンボリューション補正逆投影（ＣＢＰ：Convolution Back Projection）法やフィルタ補正逆投影（ＦＢＰ：Filtered Back Projection）法に代表される解析的手法と、代数的手法とが知られており、それらが利用される。代数的手法は一般に反復法を用いて断層画像を求めることから、逐次近似再構成（ＩＲ：Iterative Reconstruction）法と呼ばれる。
【００３０】
処理回路４４は、専用又は汎用のＣＰＵ（Central Processing Unit）又はＭＰＵ（Micro Processor Unit）の他、特定用途向け集積回路（ＡＳＩＣ：Application Specific Integrated Circuit）、及び、プログラマブル論理デバイス等の処理回路を意味する。プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）、及び、フィールドプログラマブルゲートアレイ（ＦＰＧＡ：Field Programmable Gate Array）等の回路が挙げられる。処理回路４４は、記憶回路４５に記憶された、又は、処理回路４４内に直接組み込まれたプログラムを読み出し実行する。
【００３１】
また、処理回路４４は、単一の回路によって構成されても良いし、複数の独立した回路要素を組み合わせによって構成されても良い。後者の場合、プログラムを記憶する内部記憶回路は回路要素ごとに個別に設けられても良いし、単一の内部記憶回路が複数の回路要素の機能に対応するプログラムを記憶するものであっても良い。
【００３２】
処理回路４４は、入力回路４７から出力される入力操作の電気信号に応じてＸ線ＣＴ装置１全体の動作を制御する。例えば、処理回路４４は、図２に示すように、受付機能４４１、立ち上げ制御機能４４２、取得機能４４３、及び表示制御機能４４４として機能する。なお、機能４４１〜４４４の全部又は一部は、コンソール装置４０にハードウェアとして備えられるものであっても良い。また、処理回路４４は、処理部の一例である。
【００３３】
受付機能４４１は、入力回路４７を介して操作者からＸ線ＣＴ装置１に係る電源投入に関する指示を受け付け、当該指示を立ち上げ制御機能４４２に伝える機能である。また、受付機能４４１は、入力回路４７を介して操作者からスキャン開始に関する指示を受け付け、当該指示を操作用サーバ４１及びスキャン用サーバ４２に伝える機能である。受付機能４４１は、操作用サーバ４１及びスキャン用サーバ４２の立ち上げの完了後であれば、仮に再構成用サーバ４３の立ち上げ中であっても、当該指示を操作用サーバ４１及びスキャン用サーバ４２に伝えることが可能である。
【００３４】
立ち上げ制御機能４４２は、受付機能４４１によって受け付けられた電源投入の指示に基づいて、複数のサーバ４１〜４３を並行して立ち上げるよう制御する機能である。言い換えれば、立ち上げ制御機能４４２は、複数のサーバ４１〜４３の立ち上げの開始時点がほぼ同時となるように制御する。その結果、複数のサーバ４１〜４３のそれぞれの立ち上げの完了時点が異なることになる。これは、複数のサーバ４１〜４３の間で立ち上げに要する時間が異なるためである。
【００３５】
取得機能４４３は、複数のサーバ４１〜４３からサーバの立ち上げに関する情報（以下、「立ち上げ情報」と呼ぶ。）を取得する機能である。立ち上げ情報とは、例えば、各サーバの立ち上げ完了までに要する残り時間に関する情報（図４に図示）や、各サーバの立ち上げ時間全体に占める完了状況に関する情報（変形例である図５及び図６に図示）等である。
【００３６】
表示制御機能４４４は、取得部４４３によって取得された複数のサーバ４１〜４３の立ち上げ情報をディスプレイ４６に表示させる機能である。
【００３７】
なお、機能４４１〜４４４の具体的な動作については後述する。
【００３８】
記憶回路４５は、ＲＡＭ（Random Access Memory）、フラッシュメモリ（Flash Memory）等の半導体メモリ素子、ハードディスク、及び光ディスク等によって構成される。記憶回路４５は、ＵＳＢ（Universal Serial Bus）メモリ及びＤＶＤ（Digital Video Disk）等の可搬型メディアによって構成されても良い。記憶回路４５は、処理回路４４において用いられる各種処理プログラム（アプリケーションプログラムの他、ＯＳ（Operating System）等も含まれる）や、プログラムの実行に必要なデータや、画像データを記憶する。また、ＯＳに、操作者に対するディスプレイ４６への情報の表示にグラフィックを多用し、基礎的な操作を入力回路４７によって行うことができるＧＵＩ（Graphical User Interface）を含めることもできる。また、記憶回路４５は、記憶部の一例である。
【００３９】
ディスプレイ４６は、液晶ディスプレイパネル、プラズマディスプレイパネル、及び有機ＥＬ（Electro Luminescence）パネル等の表示デバイスである。ディスプレイ４６は、処理回路４４の制御に従って画像データを表示する。また、ディスプレイ４６は、表示部の一例である。
【００４０】
入力回路４７は、操作者によって操作が可能なマウスやキーボード、トラックボール、スイッチ、ボタン、及びジョイスティック等の入力デバイスからの信号を入力する回路である。ここでは、入力デバイス自体も入力回路４７に含まれるものとする。操作者により入力デバイスが操作されると、入力回路４７はその操作に応じた入力信号を生成して処理回路４４に出力する。なお、コンソール装置４０は、入力デバイスがディスプレイ４６と一体に構成されたタッチパネルを備えても良い。また、入力回路４７は、入力部の一例である。
【００４１】
なお、コンソール装置４０は、パラレル接続仕様やシリアル接続仕様に合わせたコネクタによって構成されるＩＦ（Interface）である通信制御回路を備える場合もある。Ｘ線ＣＴ装置１がネットワーク上に設けられる場合、通信制御回路は、ネットワーク上の外部装置と情報の送受信を行う。例えば、通信制御回路は、Ｘ線ＣＴ装置１によって生成された画像データを画像管理装置や読影端末（図示省略）等の外部装置に送信したりして、外部装置と通信動作を行う。
【００４２】
図３は、本実施形態に係るＸ線ＣＴ装置１の動作例をフローチャートとして示す図である。
【００４３】
正常シャットダウン、又は、停電等に起因するシステムダウンにより電源が入っていない状態で、受付機能４４１は、入力回路４７を介して操作者からＸ線ＣＴ装置１に係る電源投入に関する指示を受け付ける（ステップＳＴ１）。立ち上げ制御機能４４２は、ステップＳＴ１によって受け付けられた電源投入の指示に基づいて、複数のサーバ４１〜４３の立ち上げ（起動）を開始させる（ステップＳＴ２）。複数のサーバ４１〜４３はそれぞれ、機能に問題が無いか自己診断テストを行いながら立ち上げを実行する。
【００４４】
取得機能４４３は、複数のサーバ４１〜４３からそれぞれ、複数のサーバ４１〜４３の立ち上げ情報を取得する（ステップＳＴ３）。表示制御機能４４４は、ステップＳＴ３によって取得された複数のサーバ４１〜４３の立ち上げ情報をディスプレイ４６に表示させる（ステップＳＴ４）。
【００４５】
図４（Ａ）は、Ｘ線ＣＴ装置１において、第１の時相における複数のサーバ４１〜４３の立ち上げ情報のディスプレイ４６への表示例を示す図である。
【００４６】
図４（Ａ）は、複数のサーバ４１〜４３の各サーバの立ち上げ情報、例えば、各サーバの立ち上げ完了までに要する残り時間に関する情報を、サーバ毎の文字情報として示す。第１の時相において、複数のサーバ４１〜４３の全てについて立ち上げが完了していない。このように、表示制御機能４４４が複数のサーバ４１〜４３の各サーバの立ち上げ情報を表示することで、操作者は、各サーバの立ち上げ状態を視認できる。
【００４７】
図３の説明に戻って、取得機能４４３は、ステップＳＴ３によって取得された複数のサーバ４１〜４３の立ち上げ情報に基づいて、スキャンに関連する処理を実行するサーバである操作用サーバ４１及びスキャン用サーバ４２の立ち上げが完了したか否かを判断する（ステップＳＴ５）。ステップＳＴ５の判断にてＮＯ、即ち、図４（Ａ）に示すように、操作用サーバ４１及びスキャン用サーバ４２の立ち上げが完了していないと判断される場合、取得機能４４３は、操作用サーバ４１及びスキャン用サーバ４２の立ち上げが完了するまで待機する。
【００４８】
ステップＳＴ５の判断にてＹＥＳ、即ち、操作用サーバ４１及びスキャン用サーバ４２の立ち上げが完了したと判断される場合、受付機能４４１は、入力回路４７を介して操作者からスキャン開始に関する指示を受け付けたか否かを判断する（ステップＳＴ６）。例えば、操作者は、図４（Ｃ）の表示画面を用いてスキャン開始に関する指示を受付機能４４１に与えることができる。
【００４９】
図４（Ｂ）は、Ｘ線ＣＴ装置１において、第２の時相における複数のサーバ４１〜４３の立ち上げ情報のディスプレイ４６への表示例を示す図である。
【００５０】
図４（Ｂ）は、図４（Ａ）と同様に、複数のサーバ４１〜４３の各サーバの立ち上げ情報、例えば、残り時間を文字情報として示す。図４（Ｂ）において、スキャンに関連する処理を実行するサーバである操作用サーバ４１及びスキャン用サーバ４２について立ち上げが完了する一方で、医用画像の生成に係る処理を実行するサーバである再構成用サーバ４３について立ち上げが完了していない。再構成用サーバ４３の立ち上げにおいては確認項目が多く、立ち上げ時間が他のサーバに比べて長いからである。なお、各サーバの立ち上げが完了した時点で、文字情報について、色彩等の表示形態が変更されてもよい。
【００５１】
図４（Ｂ）に示すように、表示制御機能４４４が複数のサーバ４１〜４３の各サーバの立ち上げ情報を表示することで、操作者は、各サーバの立ち上げ状態を視認できる。
【００５２】
また、図４（Ｂ）に示す第２の時相において、操作者は、入力回路４７を介してスキャンの開始を指示することができる。例えば、第２の時相以降において、操作者は、ディスプレイ４６への表示画面を用いて、入力回路４７を介してスキャンの開始を指示することができる（図３のステップＳＴ６のＹＥＳ）。
【００５３】
図４（Ｃ）は、Ｘ線ＣＴ装置１において、スキャンの開始を指示する際のディスプレイ４６への表示例を示す図である。
【００５４】
図４（Ｃ）は、図４（Ａ）と同様に、複数のサーバ４１〜４３の各サーバの立ち上げ情報、例えば、残り時間を文字情報として示す。また、図４（Ｃ）は、スキャンの開始を指示するためのメッセージボックスを示す。図４（Ｃ）において、操作者は、入力回路４７を介して「ＹＥＳ」ボタンを選択するとスキャンの開始を指示することができる（図３のステップＳＴ６のＹＥＳ）。
【００５５】
図３の説明に戻って、ステップＳＴ６の判断にてＮＯ、即ち、入力回路４７を介して操作者からスキャン開始に関する指示を受け付けていないと判断される場合、受付機能４４１は、スキャン開始に関する指示を受け付けるまで待機する。
【００５６】
一方で、ステップＳＴ６の判断にてＹＥＳ、即ち、入力回路４７を介して操作者からスキャン開始に関する指示を受け付けたと判断される場合、再構成用サーバ４３の立ち上げ中であっても、操作用サーバ４１の操作機能Ｆ１は、スキャンのための撮像条件を設定すると共に、スキャン用サーバ４２のスキャン制御機能Ｆ２は、撮像条件に従って架台装置１０を制御してスキャンを実行させる（ステップＳＴ７）。つまり、操作用サーバ４１及びスキャン用サーバ４２の立ち上げの完了後、かつ、再構成用サーバ４３の立ち上げ中に、スキャンの開始に関する指示を受け付けることが可能である。スキャン制御機能Ｆ２は、ステップＳＴ７によって取得された生データ等の再構成前データを一次的に記憶回路４５等の記憶部に記憶させる。
【００５７】
再構成用サーバ４３に仮に異常があったとしても、スキャンをした後で再構成用サーバ４３の再起動や修理を行うことで復旧することができる。操作用サーバ４１及びスキャン用サーバ４２については正常なため、スキャンによって生データの収集自体は継続できる。
【００５８】
取得機能４４３は、ステップＳＴ３によって取得された再構成用サーバ４３の立ち上げ情報に基づいて、再構成用サーバ４３の立ち上げが完了したか否かを判断する（ステップＳＴ８）。ステップＳＴ８の判断にてＮＯ、即ち、再構成用サーバ４３の立ち上げが完了していないと判断される場合、取得機能４４３は、再構成用サーバ４３の立ち上げが完了するまで待機する。
【００５９】
一方で、ステップＳＴ８の判断にてＹＥＳ、即ち、再構成用サーバ４３の立ち上げが完了したと判断される場合、再構成用サーバ４３の前処理機能Ｆ３は、一次的に記憶回路４５等の記憶部に記憶された生データの前処理を実行して投影データを生成すると共に、再構成機能Ｆ４は、生成された投影データに基づいてＣＴ画像（又はボリュームデータ）の再構成を実行する（ステップＳＴ９）。
【００６０】
以上のように、Ｘ線ＣＴ装置１によると、図４に示すように複数のサーバ４１〜４３の立ち上げ状態を表示できるので、操作者が各サーバの立ち上げ状態を視認できる。また、Ｘ線ＣＴ装置１によると、スキャンに関連する処理を実行するサーバ４１，４２以外の再構成用サーバ４３の立ち上げ中であってもスキャンを実行できるので、救急患者等のために即時にスキャンを実行できる。
【００６１】
（第１の変形例）
Ｘ線ＣＴ装置１において、表示される複数のサーバ４１〜４３の立ち上げ情報は、図４の場合に限定されるものではない。例えば、表示される複数のサーバ４１〜４３の立ち上げ情報は、図５に示す形態であってもよい。なお、図５（Ａ）は図４（Ａ）に対応し、図５（Ｂ）は図４（Ｂ）に対応し、図５（Ｃ）は図４（Ｃ）に対応する。
【００６２】
図５（Ａ）は、Ｘ線ＣＴ装置１において、第１の時相における複数のサーバ４１〜４３の立ち上げ情報のディスプレイ４６への表示例を示す図である。図５（Ｂ）は、Ｘ線ＣＴ装置１において、第２の時相における複数のサーバ４１〜４３の立ち上げ情報のディスプレイ４６への表示例を示す図である。図５（Ｃ）は、Ｘ線ＣＴ装置１において、スキャンの開始を指示する際のディスプレイ４６への表示例を示す図である。
【００６３】
図５（Ａ）〜（Ｃ）は、複数のサーバ４１〜４３の各サーバの立ち上げ情報、例えば、各サーバの立ち上げ時間全体に占める完了状況に関する情報を、サーバ毎のプログレスバー（Progress Bar）として示す。プログレスバーとは、タスクの進捗状況がどの程度完了したのかが視覚的かつ直感的に表示されるもので、ＧＵＩの要素（ウィジェット）の１つである。図５（Ａ）に示す第１の時相において、複数のサーバ４１〜４３の全てについて立ち上げが完了していない。なお、図５（Ｂ）に示すように、各サーバの立ち上げが完了した時点で、スキャン自体の実行が可能になったことを視認できるように、プログレスバーについて、色彩等の表示形態が変更されてもよい。
【００６４】
図５（Ａ），（Ｂ）に示すように、表示制御機能４４４が複数のサーバ４１〜４３の各サーバの立ち上げ情報を表示することで、操作者は、各サーバの立ち上げ状態を視認できる。
【００６５】
また、図５（Ｂ）に示す第２の時相において、操作者は、入力回路４７を介してスキャンの開始を指示することができる。例えば、第２の時相以降において、操作者は、ディスプレイ４６への表示画面（図５（Ｃ）に図示）を用いて、入力回路４７を介してスキャンの開始を指示することができる（図３のステップＳＴ６のＹＥＳ）。
【００６６】
以上のように、Ｘ線ＣＴ装置１の第１変形例によると、図５に示すように複数のサーバ４１〜４３の立ち上げ状態を表示できるので、操作者が各サーバの立ち上げ状態を視認できる。また、Ｘ線ＣＴ装置１の第１変形例によると、スキャンに関連する処理を実行するサーバ４１，４２以外の再構成用サーバ４３の立ち上げ中であってもスキャンを実行できるので、救急患者等のために即時にスキャンを実行できる。
【００６７】
（第２の変形例）
Ｘ線ＣＴ装置１において、表示される複数のサーバ４１〜４３の立ち上げ情報は、図４及び図５の場合に限定されるものではない。例えば、表示される複数のサーバ４１〜４３の立ち上げに関する情報は、図６に示す形態であってもよい。なお、図６（Ａ）は図４（Ａ）に対応し、図６（Ｂ）は図４（Ｂ）に対応し、図６（Ｃ）は図４（Ｃ）に対応する。
【００６８】
図６（Ａ）は、Ｘ線ＣＴ装置１において、第１の時相における複数のサーバ４１〜４３の立ち上げ情報のディスプレイ４６への表示例を示す図である。図６（Ｂ）は、Ｘ線ＣＴ装置１において、第２の時相における複数のサーバ４１〜４３の立ち上げ情報のディスプレイ４６への表示例を示す図である。図６（Ｃ）は、Ｘ線ＣＴ装置１において、スキャンの開始を指示する際のディスプレイ４６への表示例を示す図である。
【００６９】
図６（Ａ）〜（Ｃ）は、複数のサーバ４１〜４３のうち立ち上げに要する時間が最も長い再構成用サーバ４３の立ち上げ情報、例えば、再構成用サーバ４３の立ち上げ時間全体に占める完了状況に関する情報を、プログレスバーとして示す。図６（Ａ）に示す第１の時相において、複数のサーバ４１〜４３の全てについて立ち上げが完了していない。なお、図６（Ｂ）に示すように、操作用サーバ４１及びスキャン用サーバ４２の両方の立ち上げが完了した時点で、プログレスバーについて、スキャン自体の実行が可能になったことを視認できるように、色彩等の表示形態が変更されてもよい。
【００７０】
図６（Ａ），（Ｂ）に示すように、表示制御機能４４４が複数のサーバ４１〜４３の各サーバの立ち上げ情報を表示することで、操作者は、各サーバの立ち上げ状態を視認できる。
【００７１】
また、図６（Ｂ）に示す第２の時相において、操作者は、入力回路４７を介してスキャンの開始を指示することができる。例えば、第２の時相以降において、操作者は、ディスプレイ４６への表示画面（図６（Ｃ）に図示）を用いて、入力回路４７を介してスキャンの開始を指示することができる（図３のステップＳＴ６のＹＥＳ）。
【００７２】
以上のように、Ｘ線ＣＴ装置１の第２変形例によると、図６に示すように複数のサーバ４１〜４３の立ち上げ状態を表示できるので、操作者が各サーバの立ち上げ状態を視認できる。また、Ｘ線ＣＴ装置１の第２変形例によると、スキャンに関連する処理を実行するサーバ４１，４２以外の再構成用サーバ４３の立ち上げ中であってもスキャンを実行できるので、救急患者等のために即時にスキャンを実行できる。
【００７３】
以上述べた少なくともひとつの実施形態の医用画像診断装置及び医用画像診断装置用コンソール装置によれば、操作者が各サーバの立ち上げ状態を視認できる。
【００７４】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００７５】
１…医用画像診断装置（例えば、Ｘ線ＣＴ装置）
１０…架台装置
３０…寝台装置
４０…コンソール装置
４１…操作用サーバ
４２…スキャン用サーバ
４３…再構成用サーバ
４４…処理回路
４６…ディスプレイ
４７…入力回路
４１１…受付機能
４１２…立ち上げ制御機能
４１３…取得機能
４１４…表示制御機能
【図１】
2018157887.tif 000003
【図２】
2018157887.tif 000004
【図３】
2018157887.tif 000005
【図４】
2018157887.tif 000006
【図５】
2018157887.tif 000007
【図６】
2018157887.tif 000008